(57)【要約】【課題】携帯電話等の機能の動作に必要な装置負荷電力が、蓄電池もしくは充電装置から供給される充電装置であって、携帯電話等の機能を動作させていても、蓄電池が、充電装置から充電電力の供給を受けることができる充電装置を提供する。【解決手段】電力の供給を受け蓄電池に充電電力を供給する充電回路と、電気機器装置に供給される装置負荷電力と充電電力とを検出し、装置負荷電力と充電電力との和を求め、和に基づいて充電電力を調整するための充電電力制御信号を、充電回路に出力する比較回路とを具備し、充電回路が、充電電力制御信号に応じた充電電力を蓄電池に供給する充電装置。【選択図】図２
2008005634.tif 000002
【特許請求の範囲】
【請求項１】
電力の供給を受け蓄電池に充電電力を供給する充電回路と、
電気機器装置に供給される装置負荷電力と前記充電電力とを検出し、前記装置負荷電力と前記充電電力との和を求め、前記和に基づいて前記充電電力を調整するための充電電力制御信号を、前記充電回路に出力する比較回路と
を具備し、
前記充電回路が、前記充電電力制御信号に応じた前記充電電力を前記蓄電池に供給する充電装置。
【請求項２】
請求項１に記載の充電装置において、
更に、前記装置負荷電力を前記電気機器装置に供給するとともに、前記充電電力を前記蓄電池に供給するＡＣアダプタを具備する
充電装置。
【請求項３】
請求項２に記載の充電装置において、
前記充電電力は、前記ＡＣアダプタの定格電力から前記装置負荷電力を差し引いた量である
充電装置。
【請求項４】
請求項１乃至３のいずれか一項に記載の充電装置において、
前記電気機器装置は、携帯電話である
充電装置。
【請求項５】
電力の供給を受け蓄電池に充電電力を供給する充電回路があって、
比較回路が、電気機器装置に供給される装置負荷電力と充電電力とを検出するステップと、
前記比較回路が、前記装置負荷電力と前記充電電力との和を求め、前記和に基づいて前記充電電力を調整するための充電電力制御信号を、前記充電回路に出力するステップと、
前記充電回路が、前記充電電力制御信号に応じた前記充電電力を前記蓄電池に供給するステップと
を具備する
蓄電池の充電方法。
【請求項６】
請求項５に記載の蓄電池の充電方法において、
更に、ＡＣアダプタが、前記装置負荷電力を前記電気機器装置に供給するとともに、前記充電電力を前記蓄電池に供給するステップを具備する
蓄電池の充電方法。
【請求項７】
請求項６に記載の蓄電池の充電方法において、
前記充電電力は、前記ＡＣアダプタの定格電力から前記装置負荷電力を差し引いた量である
蓄電池の充電方法。
【発明の詳細な説明】
【技術分野】
【０００１】
本発明は、携帯電話等に用いる蓄電池に充電を行うための充電装置及びその充電方法に関する。
【背景技術】
【０００２】
図１に携帯電話に用いる従来の充電装置２を示すとともに、充電装置２がバッテリパック８と装置負荷１０に接続された状態を示す。装置負荷１０とは、例えば携帯電話に相当する。図１に示すように、充電装置２とバッテリパック８及び装置負荷１０の電気的な接続関係は、直列接続である。
【０００３】
携帯電話等のバッテリパックへの充電が行われている時の状況は、単にバッテリパックに充電を行う場合と、充電を行いつつも携帯電話で通話等を行う場合がある。
【０００４】
近年の携帯電話は、通話機能だけでなく、音楽プレーヤーとしての機能等が付加されるようになり高機能化、多機能化している。したがって、従来の携帯電話に比べて近年の携帯電話の消費電力は増加している。
【０００５】
携帯電話の機能を動作させるための電力（以下、装置負荷電力）は、上記のように充電装置２とバッテリパック８及び装置負荷１０は直列接続であるために、バッテリパック８から供給される。したがって、携帯電話は、バッテリパック８が存在しないと機能を動作させることができないことになる。
【０００６】
また、ＡＣアダプタ４の定格電力は、バッテリパック８に充電する電力の最大（以下、充電電力）となるように設計されている。したがって、携帯電話の機能を動作させると、装置負荷電力はバッテリパック８から供給されるが、充電電力よりも装置負荷電力が上回ると、バッテリパック８は充電よりも放電を優先的に行う。
【０００７】
特許文献１に、ＡＣアダプタからバッテリへの充電と携帯情報端末本体への給電とを同時に行う充電装置が開示されている。その充電装置は、携帯情報端末本体で消費される電流値を検出する電流検出部と、電流検出部からの信号に基づいて、ＡＣアダプタの供給電流が定格値を超えない範囲でバッテリの充電電流を大きくする充電電流制御部とを備えている。
【特許文献１】特開２００３−１８９５０１
【発明の開示】
【発明が解決しようとする課題】
【０００８】
本発明の目的は、携帯電話等の機能の動作に必要な装置負荷電力が、蓄電池もしくは充電装置から供給される充電装置を提供することである。
【０００９】
また、本発明の目的は、携帯電話等の機能を動作させていても、蓄電池が、充電装置から充電電力の供給を受けることができる充電装置を提供することである。
【課題を解決するための手段】
【００１０】
以下に、（発明を実施するための最良の形態）で使用される番号を用いて、課題を解決するための手段を説明する。これらの番号は、（特許請求の範囲）の記載と（発明を実施するための最良の形態）との対応関係を明らかにするために付加されたものである。ただし、それらの番号を、（特許請求の範囲）に記載されている発明の技術的範囲の解釈に用いてはならない。
【００１１】
本発明による充電装置は、電力の供給を受け蓄電池（８）に充電電力（２２）を供給する充電回路（１２’）と、電気機器装置（１０）に供給される装置負荷電力（２０）と充電電力（２２）とを検出し、装置負荷電力（２０）と充電電力（２２）との和を求め、和に基づいて充電電力（２２）を調整するための充電電力制御信号（５０）を、充電回路（１２’）に出力する比較回路（１６）とを備え、充電回路（１２’）は、充電電力制御信号（５０）に応じた充電電力（２２）を蓄電池（８）に供給する。
【００１２】
本発明による充電装置は、更に、装置負荷電力（２０）を電気機器装置（１０）に供給するとともに、充電電力（２２）を蓄電池（８）に供給するＡＣアダプタ（４）を備えている。
【００１３】
本発明による充電装置において、充電電力（２２）は、ＡＣアダプタの定格電力（１８）から装置負荷電力（２０）を差し引いた量である。
【００１４】
本発明による充電装置において、電気機器装置（１０）は、携帯電話である
充電装置。
【００１５】
本発明による蓄電池の充電方法は、電力の供給を受け蓄電池（８）に充電電力（２２）を供給する充電回路（１２’）があって、比較回路（１６）が、電気機器装置（１０）に供給される装置負荷電力（２０）と充電電力（２２）とを検出するステップと、比較回路（１６）が、装置負荷電力（２０）と充電電力（２２）との和を求め、和に基づいて充電電力（２２）を調整するための充電電力制御信号（５０）を、充電回路（１２’）に出力するステップと、充電回路（１２’）が、充電電力制御信号（５０）に応じた充電電力（２２）を蓄電池（８）に供給するステップとを備えている。
【００１６】
本発明による蓄電池の充電方法において、更に、ＡＣアダプタ（４）が、装置負荷電力を（２０）電気機器装置（１０）に供給するとともに、充電電力（２２）を蓄電池（８）に供給するステップを備えている。
【００１７】
本発明による蓄電池の充電方法において、充電電力（２２）は、ＡＣアダプタの定格電力（１８）から装置負荷電力（２０）を差し引いた量である。
【発明の効果】
【００１８】
本発明によれば、携帯電話等の機能の動作に必要な装置負荷電力が、蓄電池もしくは充電装置から供給される充電装置が提供される。
【００１９】
本発明によれば、携帯電話等の機能を動作させていても、蓄電池が、充電装置から充電電力の供給を受けることができる充電装置が提供される。
【発明を実施するための最良の形態】
【００２０】
添付図面を参照して、本発明による充電装置を実施するための最良の形態を以下に説明する。
【００２１】
図２は、本発明に係る充電装置２’及びバッテリパック８と装置負荷１０を接続した状態を示す。本実施形態の場合、装置負荷１０は携帯電話である。装置負荷１０に対して、ＡＣアダプタ４とバッテリパック８は、電気的に並列接続される。
【００２２】
ＡＣアダプタ４は、コネクタ６を介して充電回路１２’等と接続する。なお、コネクタ６を付けず、ＡＣアダプタ４は充電回路１２’等と接続してもよい。また、充電装置２’にＡＣアダプタ４を組み込まずに、受電装置２’の外部にＡＣアダプタ４を設けていてもよい。また、ＡＣアダプタ４は、交流電流を直流電流に変換する機能を有するものであれば、ＡＣアダプタ４である必然性はない。
【００２３】
充電装置２’は、内部に充電回路１２’と比較回路１６を有する。コネクタ６は、第１のダイオード１４ａを介して、接点ａ３０で比較回路１６と装置負荷１０へ分岐、接点ｂ３２で充電回路１２’と装置負荷１０へ分岐、接点ｃ３４で第２のダイオード１４ｂと装置負荷１０へ分岐、接点ｄ３６で比較回路１６と装置負荷１０へ分岐している。
【００２４】
充電回路１２’は、バッテリパック８、比較回路１６、接点ｂ３２と電気的に接合する。
【００２５】
比較回路１６は、充電回路１２’、接点ａ３０、接点ｄ３６と電気的に接合する。
【００２６】
バッテリパック８は、充電回路１２’および第２のダイオード１４ｂと電気的に接合する。
【００２７】
本発明の充電装置２’の動作について図２および図３を用いて説明する。図３は、本発明に係る充電装置２’を用いた場合の装置負荷電力２０と充電電力２２の配分を示す。
【００２８】
最初に、バッテリパック８が無い状態の充電装置２’の動作について説明する。バッテリパック８が無い状態とは、バッテリパック８と充電回路１２’及び第２のダイオード１４ｂとの電気的な接続が外れた状態を意味する。装置負荷１０に対して、ＡＣアダプタ４とバッテリパック８は、電気的に並列接続されているため、ＡＣアダプタ４の定格電力の範囲で装置負荷電力２０を装置負荷１０へ供給することが可能である。したがって、バッテリパック８が無い状態でも、装置負荷１０は動作可能である。
【００２９】
次に、バッテリパック８を接続した状態の充電装置２’の動作について説明する。
【００３０】
最初に、装置負荷１０が定常の動作を行っている時の充電装置２’の動作を説明する。本実施形態では、装置負荷１０を携帯電話として想定しているが、装置負荷１０が定常の動作を行っている時とは、携帯電話が通話等に使用されていない状態である。つまり、装置負荷電力２０が携帯電話の内蔵時計の駆動や受信待ちのために駆動する回路の動作等に消費され、装置負荷電力２０が変動せずに定常であることを意味する。
【００３１】
この際、比較回路１６は、携帯電話が供給を受けている装置負荷電力２０とバッテリパック８が供給を受けている充電電力２２を検出する。なお、比較回路１６による装置負荷電力２０及び充電電力２２の検出は、消費電流の検出等により可能だが、詳細についての説明は省略する。
【００３２】
さらに、比較回路１６は、装置負荷電力２０と充電電力２２の和を求める演算を行い、求められた和がＡＣアダプタ定格電力１８を超えるのか否かの判断を行う。その求められた和が、ＡＣアダプタ定格電力１８を超えないのであれば、その充電電力２２を保って、充電を行うように、比較回路１６は、充電電力制御信号５０を充電回路１２’に出力する。充電回路１２’は、充電電力制御信号５０に応じて充電電流を変化させる回路を有している。したがって、充電電力２２を保つことということは、充電回路１２’がバッテリパック８に送る充電電流を変化させないことを意味する。
【００３３】
次に、装置負荷１０が必要とする装置負荷電力２０が増えた時の充電装置２’の動作を説明する。装置負荷１０が必要とする装置負荷電力２０が増えた時とは、携帯電話が通話等に使用されている状態であり、携帯電話で通話を行っている状態だけでなく、音楽プレーヤの機能を有する携帯電話が音楽を再生している状態をも意味する。このような場合、当然ながら、携帯電話の装置負荷電力２０は増える。この際、比較回路１６は、携帯電話が供給を受けている装置負荷電力２０とバッテリパック８が供給を受けている充電電力２２を検出する。
【００３４】
さらに、比較回路１６は、装置負荷電力２０と充電電力２２の和を求める演算を行い、求められた和がＡＣアダプタ定格電力１８を超えるのか否かの判断を行う。ここで、装置負荷電力が増えた時２４の装置負荷電力２０と装置負荷が定常の時２３に定めた充電電力２２との合計は、ＡＣアダプタ定格電力１８を超えてしてしまう。つまり、求められた電力の和が、ＡＣアダプタ定格電力１８を超えてしまう。
【００３５】
そこで、比較回路１６は、ＡＣアダプタ定格電力１８から装置負荷電力が増えた時２４の装置負荷電力２０を差し引く演算を行う。その演算結果の電力が、充電電力２２となるように、比較回路１６は、充電電力制御信号５０を充電回路１２’に出力する。充電回路１２’は、充電電流制御信号５０に応じてバッテリパック８に送る充電電流を減少させる。当然ながら、装置負荷電力が増えた時２４の充電電力２２は、装置負荷が定常の時２３の充電電力２２に比べ減る。
【００３６】
以上のような充電装置２’の動作により、携帯電話の通話や音楽再生の機能の動作に必要な装置負荷電力２０が確保され、バッテリパック８への充電電力２２も確保される。装置負荷が増えた時２４の充電電力２２は、装置負荷が定常の時２３に比べれば減ることになるが、いくらかの充電電力２２が確保される為、バッテリパック８の充電が全く行われないという事態は起こらない。
【００３７】
ここで、定格電力が大きなＡＣアダプタ４を用意すれば、携帯電話の機能の動作によって増えた装置負荷電力２０を携帯電話に供給しつつ、装置負荷が定常の時２３の充電電力２２をバッテリパック８に供給することを達成できるとも考えられる。しかし、そのような定格電力を有したＡＣアダプタ４を用意するためには、過度に大きな形状のＡＣアダプタ４が必要となり、ＡＣアダプタ４の携帯性が悪くなる。現実の携帯電話の使用形態を考えると、ＡＣアダプタ４が、携帯電話の機能の動作によって増えた装置負荷電力２０を数時間にも及んで供給する必要性はない。また、その時間の間、装置負荷が定常の時２３の充電電力２２をＡＣアダプタ４が供給する必要性もない。したがって、ＡＣアダプタ４は、携帯電話の機能の動作によって増えた装置負荷電力２０が確保される程度の定格電力の仕様を有していればよい。つまり、携帯電話の機能の動作によって増えた装置負荷電力２０と、装置負荷が定常の時２３の充電電力２２との合計値となる定格電力を有するほどの大きな形状のＡＣアダプタ４は必要ない。本実施形態の充電装置２’は、比較回路１６を充電装置２’に設け、充電電力２２を制御しているので、大きな形状のＡＣアダプタ４を用意せずに、携帯電話の機能を動作させつつ、バッテリパック８を充電することができるのである。
【００３８】
以上のように本発明の充電装置２’によれば、携帯電話がＡＣアダプタ４から電力供給を受けることが可能であるため、バッテリパック８を用いずに携帯電話の機能を動作させることができる。
【００３９】
また、携帯電話の機能を動作させるために必要な装置負荷電力２０が増えても、携帯電話の機能の動作に必要な装置負荷電力２０を確保し、バッテリパック８への充電電力２２も確保することができる。
【図面の簡単な説明】
【００４０】
【図１】図１は、従来の充電装置及びバッテリパックと装置負荷を接続した状態を示す。
【図２】図２は、本発明に係る充電装置及びバッテリパックと装置負荷を接続した状態を示す。
【図３】図３は、本発明に係る充電装置を用いた場合の装置負荷電力と充電電力の配分を示す。
【符号の説明】
【００４１】
２    ：充電装置
２’  ：充電装置
４    ：ＡＣアダプタ
６    ：コネクタ
８    ：バッテリパック
１０  ：装置負荷
１２  ：充電回路
１２’：充電回路
１４ａ：第１のダイオード
１４ｂ：第２のダイオード
１６  ：比較回路
１８  ：ＡＣアダプタ定格電力
２０  ：装置負荷電力
２２  ：充電電力
２３  ：装置負荷が定常の時
２４  ：装置負荷電力が増えた時
３０  ：接点ａ
３２  ：接点ｂ
３４  ：接点ｃ
３６  ：接点ｄ
５０  ：充電電力制御信号
【図１】
2008005634.tif 000003
【図２】
2008005634.tif 000004
【図３】
2008005634.tif 000005